(57)【特許請求の範囲】
【請求項１】
プリンタで製本印刷を得るための印刷データを生成するプリンタドライバが動作する情報処理装置であって、
前記プリンタドライバにより提供される印刷設定画面を介して製本印刷設定と、製本の表紙印刷設定の指示を入力する入力手段と、
アプリケーションから入力された各ページの印刷命令を中間コードに変換して、ページ単位に読み出し可能なスプールファイルに格納するスプール手段と、
前記入力手段により製本印刷設定と製本の表紙印刷設定とが入力される場合に、製本の表紙に印刷すべきページ数を判定する表紙ページ数判定手段と、
前記スプール手段により格納されている中間コードの総ページ数が、前記表紙ページ数判定手段により判定されたページ数以上かを判定する判定手段と、
前記判定手段により前記スプールファイルに格納されている中間コードの総ページ数が、前記表紙ページ数判定手段により判定されたページ数以上であると判定される場合に、前記スプールファイルに格納されている中間コードから表紙に面付けすべきページを判定する表紙ページ判定手段と、
前記表紙ページ判定手段により判定されるページの中間コードに基づいて、表紙への面付け処理を行う第１の表紙面付け処理手段と、
前記第１の表紙面付け処理手段で表紙に面付けされていない残りのページの中間コードに基づいて、本文への面付け処理を行う製本面付け処理手段と、
前記判定手段により前記スプールファイルに格納されている中間コードの総ページ数が、前記表紙ページ数判定手段により判定されたページ数未満であると判定される場合に、当該中間コードを、前記アプリケーションから入力されたページ順に、該製本の表紙の有効印刷面に面付け処理する第２の表紙面付け処理手段と、
を備えることを特徴とする情報処理装置。
【請求項２】
前記第１の表紙面付け処理手段及び前記製本面付け処理手段、または前記第２の表紙面付け処理手段による各ページの中間コードの面付け処理の結果に従って、前記プリンタで解釈可能なページ記述言語の印刷データを生成する印刷データ生成手段と、
前記印刷データ生成手段により生成されたページ記述言語の印刷データを、前記プリンタへ送信するインタフェース手段とを更に備えることを特徴とする請求項１に記載の情報処理装置。
【請求項３】
前記入力手段は、製本の表紙として、表紙の表、表紙の裏、裏表紙の裏、裏表紙の表に印刷することを示す製本の表紙印刷設定を入力し、
前記第１の表紙面付け処理手段は、１、２ページの中間コードを表紙の表、裏に面付け処理し、最終ページ、最終ページ−１の中間コードを裏表紙の表、裏にそれぞれ面付けするものであり、
前記第２の表紙面付け処理手段は、前記格納されているページ数分の中間コードを、前記アプリケーションから入力されたページ順に、表紙の表、表紙の裏、裏表紙の裏、裏表紙の表の順に面付け処理する
ことを特徴とする請求項１に記載の情報処理装置。
【請求項４】
プリンタで製本印刷を得るための印刷データを生成するプリンタドライバが動作し、制御部を有する情報処理装置における情報処理方法であって、
前記プリンタドライバにより提供される印刷設定画面を介して製本印刷設定と、製本の表紙印刷設定の指示を入力する入力工程と、
アプリケーションから入力された各ページの印刷命令を中間コードに変換して、ページ単位に読み出し可能なスプールファイルに格納するスプール工程と、
前記入力工程により製本印刷設定と製本の表紙印刷設定とが入力される場合に、製本の表紙に印刷すべきページ数を判定する表紙ページ数判定工程と、
前記スプール工程の処理により前記スプールファイルに格納されている中間コードの総ページ数が、前記表紙ページ数判定工程により判定されたページ数以上かを判定する判定工程と、
前記判定工程により前記スプールファイルに格納されている中間コードの総ページ数が、前記表紙ページ数判定工程により判定されたページ数以上であると判定される場合に、前記スプールファイルに格納されている中間コードから表紙に面付けすべきページを判定する表紙ページ判定工程と、
前記表紙ページ判定工程により判定されるページの中間コードに基づいて、表紙への面付け処理を行う第１の表紙面付け処理工程と、
前記第１の表紙面付け処理工程で表紙に面付けされていない残りのページの中間コードに基づいて、本文への面付け処理を行う製本面付け処理工程と、
前記判定工程により前記スプールファイルに格納されている中間コードの総ページ数が、前記表紙ページ数判定工程により判定されたページ数未満であると判定される場合に、当該中間コードを、前記アプリケーションから入力されたページ順に、該製本の表紙の有効印刷面に面付け処理する第２の表紙面付け処理工程と、
を前記情報処理装置の前記制御部が実行することを特徴とする情報処理方法。
【請求項５】
前記プリンタドライバが、前記第１の表紙面付け処理工程及び前記製本面付け処理工程、または前記第２の表紙面付け処理工程による各ページの中間コードの面付け処理の結果に従って、前記プリンタで解釈可能なページ記述言語の印刷データを生成する印刷データ生成工程と、
前記情報処理装置のインタフェース部が、前記印刷データ生成工程により生成されたページ記述言語の印刷データを、前記プリンタへ送信する送信工程とを更に備えることを特徴とする請求項４に記載の情報処理方法。
【請求項６】
前記入力工程は、製本の表紙として、表紙の表、表紙の裏、裏表紙の裏、裏表紙の表に印刷することを示す製本の表紙印刷設定を入力し、
前記第１の表紙面付け処理工程は、１、２ページの中間コードを表紙の表、裏にそれぞれ面付け処理し、最終ページと、最終ページ−１の中間コードを裏表紙の表、裏にそれぞれ面付けするものであり、
前記第２の表紙面付け処理工程は、前記格納されているページ数分の中間コードを、前記アプリケーションから入力されたページ順に、表紙の表、表紙の裏、裏表紙の裏、裏表紙の表の順に面付け処理する
ことを特徴とする請求項４に記載の情報処理方法。
【請求項７】
プリンタで製本印刷を得るための印刷データを生成するプリンタドライバが動作する情報処理装置における情報処理方法をコンピュータに実行させるプログラムモジュールを格納したコンピュータ可読の記憶媒体であって、該プログラムモジュールは、
前記プリンタドライバにより提供される印刷設定画面を介して製本印刷設定と、製本の表紙印刷設定の指示を入力する入力モジュールと、
アプリケーションから入力された各ページの印刷命令を中間コードに変換して、ページ単位に読み出し可能なスプールファイルに格納するスプールモジュールと、
前記入力モジュールにより製本印刷設定と製本の表紙印刷設定とが入力される場合に、製本の表紙に印刷すべきページ数を判定する表紙ページ数判定モジュールと、
前記スプールモジュールにより格納されている中間コードの総ページ数が、前記表紙ページ数判定モジュールにより判定されたページ数以上かを判定する判定モジュールと、
前記判定モジュールにより前記スプールファイルに格納されている中間コードの総ページ数が、前記表紙ページ数判定モジュールにより判定されたページ数以上であると判定される場合に、前記スプールファイルに格納されている中間コードから表紙に面付けすべきページを判定する表紙ページ判定モジュールと、
前記表紙ページ判定モジュールにより判定されるページの中間コードに基づいて、表紙への面付け処理を行う第１の表紙面付け処理モジュールと、
前記第１の表紙面付け処理モジュールで表紙に面付けされていない残りのページの中間コードに基づいて、本文への面付け処理を行う製本面付け処理モジュールと、
前記判定モジュールにより前記スプールファイルに格納されている中間コードの総ページ数が、前記表紙ページ数判定モジュールにより判定されたページ数未満であると判定される場合に、当該中間コードを、前記アプリケーションから入力されたページ順に、該製本の表紙の有効印刷面に面付け処理する第２の表紙面付け処理モジュールと、
を備えることを特徴とする記憶媒体。
【請求項８】
前記第１の表紙面付け処理モジュール及び前記製本面付け処理モジュール、または前記第２の表紙面付け処理モジュールによる各ページの中間コードの面付け処理の結果に従って、前記プリンタで解釈可能なページ記述言語の印刷データを生成する印刷データ生成モジュールと、
前記印刷データ生成モジュールにより生成されたページ記述言語の印刷データを、前記プリンタへ送信するインタフェースモジュールとを更に備えることを特徴とする請求項７に記載の記憶媒体。
【請求項９】
前記入力モジュールは、製本の表紙として、表紙の表、表紙の裏、裏表紙の裏、裏表紙の表に印刷することを示す製本の表紙印刷設定を入力し、
前記第１の表紙面付け処理モジュールは、１、２ページの中間コードを表紙の表、裏にそれぞれ面付け処理し、最終ページ、最終ページ−１の中間コードを裏表紙の表、裏にそれぞれ面付けするものであり、
前記第２の表紙面付け処理モジュールは、前記格納されているページ数分の中間コードを、前記アプリケーションから入力されたページ順に、表紙の表、表紙の裏、裏表紙の裏、裏表紙の表の順に面付け処理する
ことを特徴とする請求項７に記載の記憶媒体。
【発明の詳細な説明】
【０００１】
【発明の属する技術分野】
本発明は、情報処理装置および方法並びに媒体に関するもので、特にデバイスの表紙インサート機能を使用せずに、ユーザの所望する製本表紙を得ることの可能な情報処理装置および方法並びに媒体に関するものである。
【０００２】
【従来の技術】
従来、プリンタと接続されたパーソナルコンピュータ等の情報処理装置において、前記情報処理装置上で、前記プリンタに送信される印刷データを生成する前に、一旦、最終的に前記プリンタに送付する印刷データとは異なる形式のデータ形式（いわゆる中間コード形式）で一時保存を行うスプール手段、この中間コード形式で一時保存されたデータから改めて最終的に前記プリンタに送付する印刷データを生成するデスプール手段、およびプリンタ制御コマンドを生成する手段を備えるシステムが存在した。また、同システムにおいて実現している製本機能と、デバイスによる製本機能が存在し、また最新のデバイスではオプションでインサーターデバイスの装着が可能なものがあり、デバイスによる表紙インサート機能が存在している。
【０００３】
【発明が解決しようとする課題】
しかしながら、上記のシステムにおいては、デバイスのインサート機能以外には製本表紙を付ける手段は存在しなかった。また、デバイスのインサート機能には、表紙の表、裏、裏表紙の表、裏に印刷するかの選択を可能とする手段も存在しなかった。
【０００４】
また、アプリケーションで表紙の描画内容を考慮して生成した文書をプリンタドライバの製本印刷機能を利用して印刷する場合に、アプリケーションから出力される該文書の論理ページ数が４の倍数である場合は、一番外側の用紙を表紙に見立てて印刷させることは可能であるが、論理ページ数が４の倍数でない場合は、表紙を考慮した描画内容が表紙に見立てた用紙の「表紙」及び「見返し」には印刷されるが、「裏表紙」及び「裏表紙の見返し」には印刷されないことが考えられる。例えば、アプリケーションが描画内容を考慮した７ページの文書（表紙用に４ページある）を生成した場合に、通常のプリンタドライバの製本印刷を利用すると、図３０に示されるように、表紙用の用紙の「表紙」及び「見返し」には正しく印刷されるが、「裏表紙の見返し」には「裏表紙」印刷すべき論理ページの７ページ目が印刷され、「裏表紙」にはなにも印刷されない印刷物として排紙されてしまうという問題点がある。
【０００５】
【課題を解決するための手段】
本発明は、上述の課題に鑑みてなされたものであり、その目的とするところは、デバイスの表紙インサート機能を使用せずに、製本表紙を付ける手段をユーザに提供し、表紙用紙に対する面付け処理を自動で行う情報処理装置および方法を提供することにある。
【０００６】
また、表紙の表、裏、裏表紙の表、裏に印刷するか否かを選択することによってユーザの所望する製本表紙を得ることの可能な情報処理装置および方法を提供することにある。
【０００７】
上記の目的を達成するために、本発明にかかる情報処理装置、情報処理方法、および情報処理のための方法をコンピュータで実行するためのプログラムモジュールを格納した記憶媒体は主として以下の構成を有することを特徴とする。
【０００８】
すなわち、プリンタで製本印刷を得るための印刷データを生成するプリンタドライバが動作する情報処理装置は、
前記プリンタドライバにより提供される印刷設定画面を介して製本印刷設定と、製本の表紙印刷設定の指示を入力する入力手段と、
アプリケーションから入力された各ページの印刷命令を中間コードに変換して、ページ単位に読み出し可能なスプールファイルに格納するスプール手段と、
前記入力手段により製本印刷設定と製本の表紙印刷設定とが入力される場合に、製本の表紙に印刷すべきページ数を判定する表紙ページ数判定手段と、
前記スプール手段により格納されている中間コードの総ページ数が、前記表紙ページ数判定手段により判定されたページ数以上かを判定する判定手段と、
前記判定手段により前記スプールファイルに格納されている中間コードの総ページ数が、前記表紙ページ数判定手段により判定されたページ数以上であると判定される場合に、前記スプールファイルに格納されている中間コードから表紙に面付けすべきページを判定する表紙ページ判定手段と、
前記表紙ページ判定手段により判定されるページの中間コードに基づいて、表紙への面付け処理を行う第１の表紙面付け処理手段と、
前記第１の表紙面付け処理手段で表紙に面付けされていない残りのページの中間コードに基づいて、本文への面付け処理を行う製本面付け処理手段と、
前記判定手段により前記スプールファイルに格納されている中間コードの総ページ数が、前記表紙ページ数判定手段により判定されたページ数未満であると判定される場合に、当該中間コードを、前記アプリケーションから入力されたページ順に、該製本の表紙の有効印刷面に面付け処理する第２の表紙面付け処理手段と、
を備えることを特徴とする。
【０００９】
また、プリンタで製本印刷を得るための印刷データを生成するプリンタドライバが動作し、制御部を有する情報処理装置における情報処理方法は、
前記プリンタドライバにより提供される印刷設定画面を介して製本印刷設定と、製本の表紙印刷設定の指示を入力する入力工程と、
アプリケーションから入力された各ページの印刷命令を中間コードに変換して、ページ単位に読み出し可能なスプールファイルに格納するスプール工程と、
前記入力工程により製本印刷設定と製本の表紙印刷設定とが入力される場合に、製本の表紙に印刷すべきページ数を判定する表紙ページ数判定工程と、
前記スプール工程の処理により前記スプールファイルに格納されている中間コードの総ページ数が、前記表紙ページ数判定工程により判定されたページ数以上かを判定する判定工程と、
前記判定工程により前記スプールファイルに格納されている中間コードの総ページ数が、前記表紙ページ数判定工程により判定されたページ数以上であると判定される場合に、前記スプールファイルに格納されている中間コードから表紙に面付けすべきページを判定する表紙ページ判定工程と、
前記表紙ページ判定工程により判定されるページの中間コードに基づいて、表紙への面付け処理を行う第１の表紙面付け処理工程と、
前記第１の表紙面付け処理工程で表紙に面付けされていない残りのページの中間コードに基づいて、本文への面付け処理を行う製本面付け処理工程と、
前記判定工程により前記スプールファイルに格納されている中間コードの総ページ数が、前記表紙ページ数判定工程により判定されたページ数未満であると判定される場合に、当該中間コードを、前記アプリケーションから入力されたページ順に、該製本の表紙の有効印刷面に面付け処理する第２の表紙面付け処理工程と、
を前記情報処理装置の前記制御部が実行することを特徴とする。
【００１０】
また、プリンタで製本印刷を得るための印刷データを生成するプリンタドライバが動作する情報処理装置における情報処理方法をコンピュータに実行させるプログラムモジュールを格納したコンピュータ可読の記憶媒体であって、該プログラムモジュールは、
前記プリンタドライバにより提供される印刷設定画面を介して製本印刷設定と、製本の表紙印刷設定の指示を入力する入力モジュールと、
アプリケーションから入力された各ページの印刷命令を中間コードに変換して、ページ単位に読み出し可能なスプールファイルに格納するスプールモジュールと、
前記入力モジュールにより製本印刷設定と製本の表紙印刷設定とが入力される場合に、製本の表紙に印刷すべきページ数を判定する表紙ページ数判定モジュールと、
前記スプールモジュールにより格納されている中間コードの総ページ数が、前記表紙ページ数判定モジュールにより判定されたページ数以上かを判定する判定モジュールと、
前記判定モジュールにより前記スプールファイルに格納されている中間コードの総ページ数が、前記表紙ページ数判定モジュールにより判定されたページ数以上であると判定される場合に、前記スプールファイルに格納されている中間コードから表紙に面付けすべきページを判定する表紙ページ判定モジュールと、
前記表紙ページ判定モジュールにより判定されるページの中間コードに基づいて、表紙への面付け処理を行う第１の表紙面付け処理モジュールと、
前記第１の表紙面付け処理モジュールで表紙に面付けされていない残りのページの中間コードに基づいて、本文への面付け処理を行う製本面付け処理モジュールと、
前記判定モジュールにより前記スプールファイルに格納されている中間コードの総ページ数が、前記表紙ページ数判定モジュールにより判定されたページ数未満であると判定される場合に、当該中間コードを、前記アプリケーションから入力されたページ順に、該製本の表紙の有効印刷面に面付け処理する第２の表紙面付け処理モジュールと、
を備えることを特徴とする。
【００１１】
【発明の実施形態】
＜第１実施形態＞
以下、本発明を適用するのに好適な実施形態について説明を行う。図１は本発明の第１実施形態に係るプリンタ制御システムの構成を説明するブロック図である。なお、本発明の機能が実行されるのであれば、単体の機器であっても、複数の機器からなるシステムであっても、ＬＡＮ、ＷＡＮ等のネットワークを介して接続がなされ処理が行われるシステムであっても本発明を適用できる。
【００１２】
図１において、本発明の情報処理装置であるホストコンピュータ３０００は、ＲＯＭ１０３のプログラム用ＲＯＭあるいは外部メモリ１１１に記憶された文書処理プログラム等に基づいて図形、イメージ、文字、表（表計算等を含む）等が混在した文書処理を実行するＣＰＵ１０１を備え、システムバス４に接続される各デバイスをＣＰＵ１０１が総括的に制御する。また、このＲＯＭ１０３のプログラム用ＲＯＭあるいは外部メモリ１１１には、ＣＰＵ１０１の制御プログラムであるオペレーティングシステムプログラム（以下ＯＳ）等を記憶し、ＲＯＭ１０３のフォント用ＲＯＭあるいは外部メモリ１１１には上記文書処理の際に使用するフォントデータ等を記憶し、ＲＯＭ１０３のデータ用ＲＯＭあるいは外部メモリ１１１には上記文書処理等を行う際に使用する各種データを記憶する。ＲＡＭ１０２は、ＣＰＵ１０１の主メモリ、ワークエリア等として機能する。
【００１３】
キーボードコントローラ（ＫＢＣ）１０５は、キーボード１０９や不図示のポインティングデバイスからのキー入力を制御する。ＣＲＴコントローラ（ＣＲＴＣ）１０６は、ＣＲＴディスプレイ（ＣＲＴ）１１０の表示を制御する。１０７はディスクコントローラ（ＤＫＣ）で、ブートプログラム、各種のアプリケーション、フォントデータ、ユーザファイル、編集ファイル、プリンタ制御コマンド生成プログラム（以下プリンタドライバ）等を記憶するハードディスク（ＨＤ）、フロッピーディスク（ＦＤ）等の外部メモリ１１１とのアクセスを制御する。プリンタコントローラ（ＰＲＴＣ）１０８は、双方向性インタフェース（インタフェース）１２１を介してプリンタ１５００に接続されて、プリンタ１５００との通信制御処理を実行する。
【００１４】
なお、ＣＰＵ１０１は、例えば、ＲＡＭ１０２上に設定された表示情報ＲＡＭへのアウトラインフォントの展開（ラスタライズ）処理を実行し、ＣＲＴ１１０上でのＷＹＳＩＷＹＧを可能としている。また、ＣＰＵ１０１は、ＣＲＴ１１０上の不図示のマウスカーソル等で指示されたコマンドに基づいて登録された種々のウインドウを開き、種々のデータ処理を実行する。ユーザは印刷を実行する際、印刷の設定に関するウインドウを開き、プリンタの設定や、印刷モードの選択を含むプリンタドライバに対する印刷処理方法の設定を行える。
【００１５】
プリンタ１５００は、ＣＰＵ１１２により制御される。プリンタＣＰＵ１１２は、ＲＯＭ１１３のプログラム用ＲＯＭに記憶された制御プログラム等あるいは外部メモリ１１４に記憶された制御プログラム等に基づいてシステムバス１１５に接続される印刷部（プリンタエンジン）１１７に出力情報としての画像信号を出力する。また、このＲＯＭ１１３のプログラムＲＯＭには、ＣＰＵ１１２の制御プログラム等を記憶する。ＲＯＭ１１３のフォント用ＲＯＭには上記出力情報を生成する際に使用するフォントデータ等が記憶され、ＲＯＭ１１３のデータ用ＲＯＭには、ハードディスク等の外部メモリ１１４がないプリンタの場合には、ホストコンピュータ上で利用される情報等が記憶されている。
【００１６】
ＣＰＵ１１２は入力部１１８を介してホストコンピュータとの通信処理が可能となっており、プリンタ内の情報等をホストコンピュータ３０００に通知できる。ＲＡＭ１１９は、ＣＰＵ１１２の主メモリや、ワークエリア等として機能するＲＡＭで、図示しない増設ポートに接続されるオプションＲＡＭによりメモリ容量を拡張することができるように構成されている。なお、ＲＡＭ１１９は、出力情報展開領域、環境データ格納領域、ＮＶＲＡＭ等に用いられる。前述したハードディスク（ＨＤ）、ＩＣカード等の外部メモリ１１４は、メモリコントローラ（ＭＣ）１２０によりアクセスを制御される。外部メモリ１１４は、オプションとして接続され、フォントデータ、エミュレーションプログラム、フォームデータ等を記憶する。また、入力部１１８には前述した操作パネルで操作のためのスイッチおよびＬＥＤ表示器等が配されている。
【００１７】
また、前述した外部メモリ１１４は１個に限らず、複数個備えられ、内蔵フォントに加えてオプションカード、言語系の異なるプリンタ制御言語を解釈するプログラムを格納した外部メモリを複数接続できるように構成されていてもよい。更に、図示しないＮＶＲＡＭを有し、操作パネル１５０１からのプリンタモード設定情報を記憶するようにしてもよい。
【００１８】
図２は、プリンタ等の印刷装置が直接接続されているか、あるいはネットワーク経由で接続されているホストコンピュータにおける典型的な印刷処理の構成図である。図２において、アプリケーション２０１、グラフィックエンジン２０２、プリンタドライバ２０３、およびシステムスプーラ２０４は、外部メモリ１１１に保存されたファイルとして存在し、実行される場合にＯＳやそのモジュールを利用するモジュールによってＲＡＭ１０２にロードされ実行されるプログラムモジュールである。また、アプリケーション２０１およびプリンタドライバ２０３は、外部メモリ１１１のＦＤや不図示のＣＤ−ＲＯＭ、あるいは不図示のネットワークを経由して外部ディスク１１のＨＤに追加することが可能となっている。外部メモリ１１１に保存されているアプリケーション２０１はＲＡＭ１０２にロードされて実行されるが、このアプリケーション２０１からプリンタ１５００に対して印刷を行う際には、同様にＲＡＭ１０２にロードされ実行可能となっているグラフィックエンジン２０２を利用して出力（描画）を行う。
【００１９】
グラフィックエンジン２０２は、印刷装置ごとに用意されたプリンタドライバ２０３を同様に外部メモリ１１１からＲＡＭ１０２にロードし、アプリケーション２０１の出力をプリンタドライバ２０３に設定する。そして、アプリケーション２０１から受け取るＧＤＩ（Graphic Device Interface）関数からＤＤＩ（Device Driver Interface）関数に変換して、プリンタドライバ２０３へＤＤＩ関数を出力する。プリンタドライバ２０３は、グラフィックエンジン２０２から受け取ったＤＤＩ関数に基づいて、プリンタが認識可能な制御コマンド、例えば、ＰＤＬ（Page Description Language）に変換する。変換されたプリンタ制御コマンドは、ＯＳによってＲＡＭ１０２にロードされたシステムスプーラ２０４を経てインタフェース１２１経由でプリンタ１５００へ印刷データとして出力される仕組みとなっている。
【００２０】
本実施形態の印刷システムは、図２で示すプリンタとホストコンピュータからなる印刷システムに加えて、更に図３に示すように、アプリケーションからの印刷データを一旦中間コードデータでスプールする構成を有する。
【００２１】
図３は、図２のシステムを拡張したもので、グラフィックエンジン２０２からプリンタドライバ２０３へ印刷命令を送る際に、一旦中間コードからなるスプールファイル３０３を生成する構成をとる。図２のシステムでは、アプリケーション２０１が印刷処理から開放されるのはプリンタドライバ２０３がグラフィックエンジン２０２からのすべての印刷命令をプリンタの制御コマンドへ変換し終った時点である。これに対して、図３のシステムでは、スプーラ３０２がすべての印刷命令を中間コードデータに変換し、スプールファイル３０３に出力した時点である。通常、後者の方が短時間で済む。
【００２２】
また、図３で示すシステムにおいては、スプールファイル３０３の内容に対して加工することができる。これによりアプリケーションからの印刷データに対して、拡大縮小や、複数ページを１ページに縮小して印刷する等、アプリケーションの持たない機能を実現することができる。
【００２３】
これらの目的のために、図２のシステムに対し、図３の様に中間コードデータでスプールする様、システムの拡張がなされてきている。なお、印刷データの加工を行うためには、通常プリンタドライバ２０３が提供するウインドウから設定を行い、プリンタドライバ２０３がその設定内容をＲＡＭ１０２上あるいは外部メモリ１１１上に保管する。
【００２４】
以下、図３の詳細を説明する。図に示す通り、この拡張された処理方式では、グラフィックエンジン２０２からの印刷命令であるＤＤＩ関数をディスパッチャ３０１が受け取る。ディスパッチャ３０１がグラフィックエンジン２０２から受け取った印刷命令（ＤＤＩ関数）が、アプリケーション２０１からグラフィックエンジン２０２へ発行された印刷命令（ＧＤＩ関数）に基づくものである場合には、ディスパッチャ３０１は外部メモリ１１１に格納されているスプーラ３０２をＲＡＭ１０２にロードし、プリンタドライバ２０３ではなくスプーラ３０２へ印刷命令（ＤＤＩ関数）を送付する。
【００２５】
スプーラ３０２は受け取った印刷命令を解析し、ページ単位に中間コードに変換してスプールファイル３０３に出力する。このページ単位に格納されている中間コードのスプールファイルをページ描画ファイル（ＰＤＦ：Page Description File）と呼ぶ。また、スプーラ３０２は、プリンタドライバ２０３に対して設定されている印刷データに関する加工設定（Ｎｕｐ、両面、ステイプル、カラー／モノクロ指定等）をプリンタドライバ２０３から取得してジョブ単位のファイルとしてスプールファイル３０３に保存する。このジョブ単位に格納されている設定ファイルをジョブ設定ファイル（簡略してＳＤＦ：Spool Description Fileと呼ぶこともある）と呼ぶ。
【００２６】
このジョブ設定ファイルについては後述する。なお、スプールファイル３０３は外部メモリ１１１上にファイルとして生成するが、ＲＡＭ１０２上に生成しても構わない。更にスプーラ３０２は、外部メモリ１１１に格納されているスプールファイルマネージャ３０４をＲＡＭ１０２にロードし、スプールファイルマネージャ３０４に対してスプールファイル３０３の生成状況を通知する。その後、スプールファイルマネージャ３０４は、スプールファイル３０３に保存された印刷データに関する加工設定の内容に従って印刷を行えるか判断する。
【００２７】
スプールファイルマネージャ３０４がグラフィックエンジン２０２を利用して印刷を行えると判断した際には、外部メモリ１１１に格納されているデスプーラ３０５をＲＡＭ１０２にロードし、デスプーラ３０５に対して、スプールファイル３０３に記述された中間コードのページ描画ファイルの印刷処理を行うように指示する。デスプーラ３０５はスプールファイル３０３に含まれる中間コードのページ描画ファイルをスプールファイル３０３に含まれる加工設定情報を含むジョブ設定ファイルに従って加工し、ＧＤＩ関数を再生成し、もう一度グラフィックエンジン２０２経由でＧＤＩ関数を出力する。
【００２８】
ディスパッチャ３０１がグラフィックエンジン２０２から受け取った印刷命令（ＤＤＩ関数）がデスプーラ３０５からグラフィックエンジン２０２へ発行された印刷命令（ＧＤＩ関数）に基づいたものである場合には、ディスパッチャ３０１はスプーラ３０２ではなく、プリンタドライバ２０３に印刷命令を送る。プリンタドライバ２０３はグラフィックエンジン２０２から取得したＤＤＩ関数に基づいてページ記述言語等からなるプリンタ制御コマンドを生成し、システムスプーラ２０４経由でプリンタ１５００に出力する。
【００２９】
更に、図３では、これまで説明した拡張システムに加えて、プレビューア３０６、設定変更エディタ３０７を配し、プレビュー、印刷設定変更、複数ジョブの結合を可能にした例を示している。印刷プレビュー、印刷設定変更、複数ジョブの結合を行うためには、まずユーザが図９に示すプリンタドライバのプロパティにおいて、「出力先の指定」を行う手段であるプルダウンメニューにおいて「ストア」を指定する必要がある。なお、プレビューだけをみたい場合は、出力先の指定として「プレビュー」を選択することによっても可能である。
【００３０】
このようにプリンタドライバのプロパティで設定されている内容は設定ファイルとしてＯＳが提供する構造体（ＷｉｎｄｏｗｓＯＳでは、ＤＥＶＭＯＤＥと呼ばれる）に格納される。その構造体には、例えば、スプールファイル３０３に含まれる加工設定中にスプールファイルマネージャ３０４にストアを行うかどうかの設定が含まれており、スプールファイルマネージャ３０４がプリンタドライバを介して加工設定を読み込み、ストア指定がなされていた場合、前述したようにスプールファイル３０３にページ描画ファイルとジョブ設定ファイルとが生成・格納され、図１６のようにスプールファイルマネージャのウインドウ画面がポップアップされ、スプールファイル３０３にスプールされたジョブがリスト表示される。図１６には、４つのジョブがスプールされている例を示しており、メニューバーもしくは、そのすぐ下のメニューアイコンを押下することにより、ジョブの操作を行うことができる。
【００３１】
メニューバーとメニューアイコンの操作の数は同じである。操作種類としては、ジョブを選択した状態で、「印刷」、中間コードのスプールファイルをそのまま残して印刷を行わせる「セーブして印刷」、印刷設定を考慮したジョブの出力プレビューを見るための「プレビュー」、中間コードのスプールファイルを削除する「削除」、中間コードのスプールファイルのコピーを生成する「複製」、複数の中間コードのスプールファイルのジョブを結合して１つのジョブにする「結合」、結合ジョブを元の複数のジョブに分割する「分割」、単体ジョブもしくは結合ジョブの印刷設定（レイアウト設定やフィニッシング設定等）を変更する「ジョブ編集」、あるジョブの印刷順序を最初にする「先頭に移動」、あるジョブの印刷順序を１つ早くする「１つ上に移動」、あるジョブの印刷順序を１つ遅くする「１つ下に移動」、あるジョブの印刷順序を最後にする「最後に移動」の以上１１個の操作がある。スプールファイルマネージャのウインドウ画面（図１６）上で、ある単体ジョブもしくは結合ジョブのプレビュー指定がされた場合、外部メモリ１１１に格納されているプレビューア３０６をＲＡＭ１０２にロードし、プレビューア３０６に対して、スプールファイル３０３に記述された中間コードのジョブのプレビュー処理を行うように指示する。
【００３２】
プレビューア３０６はスプールファイル３０３に含まれる中間コードのページ描画ファイル（ＰＤＦ）を順次読み出し、スプールファイル３０３に格納されているジョブ設定ファイル（ＳＤＦ）に含まれる加工設定情報の内容に従って加工し、グラフィックエンジン２０２に対してＧＤＩ関数を出力し、グラフィックエンジン２０２が自身のクライアント領域に描画データを出力することによって、画面上の出力が可能となる。
【００３３】
グラフィックエンジン２０２は、指定された出力先に応じて適切なレンダリングを行うことが可能である。このことから、プレビューア３０６は、デスプーラ３０５同様に、スプールファイル３０３に含まれる中間コードをスプールファイル３０３に含まれる加工設定の内容に従って加工し、グラフィックエンジン２０２を利用して出力する方法で実現可能となる。このようにプリンタドライバで設定されている加工設定をジョブ設定ファイルとしてスプールファイル３０３に格納し、このジョブ設定ファイルに基づいてページ描画ファイルのデータを加工して出力することにより、実際の描画データがどのように印刷されるか、更には、Ｎｕｐ（Ｎページの論理ページを１ページの物理ページに縮小配置して印刷する処理）指定されている場合、両面印刷されている場合、製本印刷指定されている場合、スタンプが指定されている場合、それぞれに応じて、プリンタで出力されるものに近い印刷プレビューをユーザに提供することができる。なお、従来の文書作成等のアプリケーションソフトウェアが有しているプレビュー機能は、あくまでそのアプリケーションにおけるページ設定に基づいて描画しているため、プリンタドライバでの印刷設定が反映されず、実際に印刷出力されるプレビューをユーザに認識させることはできなかった。
【００３４】
上記のようにプレビュー処理を行うことにより、図１７のようにスプールファイル３０３に含まれる印刷の加工設定の大プレビューがプレビューア３０６によって画面上に表示され、その後、ユーザの非表示指示によって、プレビューア３０６がクローズされ、制御がスプールファイルマネージャのウインドウ画面（図１６）に移行する。
【００３５】
ユーザがプレビューア３０６によって表示された内容に従って、印刷を行う場合には、スプールファイルマネージャ３０４上で、「印刷」もしくは「セーブして印刷」を指示することにより印刷要求を発行する。印刷要求は前述したように、デスプーラ３０５によりジョブ設定ファイルに基づいてページ描画ファイルを加工してＧＤＩ関数を生成し、グラフィックエンジン２０２に伝えられ、ディスパッチャ３０１経由で、プリンタドライバ２０３に印刷命令が送られ、印刷が実行される。
【００３６】
次に、設定変更エディタ３０７を用いた設定変更について説明する。その実現方法としては、プレビュー同様、図９において「ストア」指定されたジョブに関して設定可能である。同様のフローによりスプールファイルマネージャ３０４がポップアップされ、スプールされたジョブがリスト表示される。スプールファイルマネージャのウインドウ画面（図１６）上で、「ジョブ編集」が指定され、設定変更指示がされた場合、外部メモリ１１１に格納されている設定変更エディタ３０７をＲＡＭ１０２にロードし、設定変更エディタ３０７に対して、現在またはデフォルトの加工設定の表示を行うように指示する。そして図１８のようなジョブ設定画面が表示される。
【００３７】
設定変更エディタ３０７は、「ジョブ編集」が指定されたジョブのジョブ設定ファイルをスプールファイル３０３から取得し、そのジョブ設定ファイルに指定されている設定項目に基づいて図１８のジョブ設定画面のデフォルト値を変更する。図１８に示す例では、「ジョブ編集」指定されたジョブのジョブ設定ファイルには、部数：１部、印刷方法：片面、ステイプル：なし、レイアウト：１ページ／枚等が指定されていることになる。
【００３８】
この設定変更エディタ３０７でもスプールファイル３０３に含まれる中間コードのページ描画ファイルをスプールファイル３０３に格納されているジョブ設定ファイルに含まれる加工設定の内容に従って加工し、グラフィックエンジン２０２を用いて自身のクライアント領域に出力することによって、図１８に示す画面上の小プレビュー出力が可能となる。
【００３９】
またここで、スプールファイル３０３に格納されているジョブ設定ファイルに含まれる加工設定の内容を変更、修正することが可能である。その際、プリンタドライバ２０３の設定可能な項目を設定変更エディタ３０７上のユーザインタフェースに持っていても、プリンタドライバ２０３自身のユーザインタフェースを呼び出しても構わない。図１８に示すように、分数、印刷方法（片面、両目、製本印刷）、ステイプル（サドルフィニッシャー等）、ページレイアウト、配置順等の指定ができ、また「詳細設定」を押下することにより、プリンタドライバで指定できる項目の大半を設定しなおすことが可能となる。ただし、解像度、グラフィックモード等の印刷品位に関する設定の変更は許可しないものとする。
【００４０】
ここで変更された変更項目は設定変更エディタ３０７上の認証要求に従い、変更が認証され、制御がスプールファイルマネージャ３０４に移行する。変更が認証されたものは、印刷設定の変更を保存することになるが、オリジナルのジョブ設定ファイルには保存せずに、ジョブ編集等で用いられるジョブ出力用設定ファイルを新たに生成して保存することになる。ジョブ出力用設定ファイルについての詳細は、図１０以降で後述する。
【００４１】
ユーザがプレビューア３０６での確認同様、設定変更内容に従って、印刷を行う場合には、スプールファイルマネージャ３０４上で、印刷要求を発行する。印刷要求はグラフィックエンジン２０２に伝えられ、ディスパッチャ３０１経由で、プリンタドライバ２０３に印刷命令が送られ、印刷が実行される。
【００４２】
また、スプールファイルマネージャのウインドウ画面（図１６）では、複数の印刷ジョブを結合し、一つの印刷ジョブとして印刷するように指定することが可能である。これも、プレビュー、設定変更同様、図９のプリンタドライバのプロパティにおいて出力先を「ストア」指定されたジョブが前提となる。
【００４３】
ユーザが印刷ジョブの結合を行う場合、まず、アプリケーション２０１からプリンタドライバ２０３を呼び出し、図９に示すようなユーザインタフェース上からストアを選択する。前記同様、この選択により、スプールファイル３０３にストアされ、図１６のようにスプールファイルマネージャのウインドウ画面（図１６）がポップアップされる。スプールされたジョブはスプールファイルマネージャのウインドウ上にリスト表示される。アプリケーション２０１から同様の操作をすることにより、スプールファイルマネージャ３０４上に複数ジョブのリスト表示がされることになる。
【００４４】
ここで、複数ジョブを選択し、「結合」が指定された場合、外部メモリ１１１に格納されている設定変更エディタ３０７をＲＡＭ１０２にロードし、設定変更エディタ３０７に対して、リスト上の先頭ジョブまたはデフォルトの加工設定の表示を行うように指示する。そして図１８のような結合設定画面が表示される。ここでは、設定変更エディタ３０７を結合設定画面として用いているが、別モジュールのものを用いても構わない。
【００４５】
この設定変更エディタ３０７は、スプールファイル３０３に含まれる中間コードのページ描画ファイルをスプールファイル３０３に格納されているジョブ設定情報に含まれる加工設定の内容に従って加工し、結合ジョブとして指定されたすべてのジョブに対して、グラフィックエンジン２０２を用いて自身のクライアント領域に出力することによって、画面上の出力を行う。その際、図１８に示すプレビュー領域に選択された全てのジョブの小プレビューが可能となる。また、結合ジョブを生成する際に、それぞれの単体ジョブのジョブ設定ファイルを拡張したジョブ出力用設定ファイルを生成する。このジョブ出力用設定ファイルは、ジョブ編集を行う際にも生成されるものであり、１つのジョブに対して１つできるものであり、結合ジョブの場合もまた１つ生成される。
【００４６】
ここではそれぞれのジョブに対して、結合する前の加工設定で表示することも、結合ジョブとして統一の加工設定に変更、修正して表示することも可能である。その際、プリンタドライバ２０３の設定可能な項目を設定変更エディタ３０７上のユーザインタフェースに持っていても、プリンタドライバ２０３自身のユーザインタフェースを呼び出しても構わない。
【００４７】
ここで結合されたジョブ及び変更された変更項目は、前述したように、設定変更エディタ３０７上の認証要求に従い、変更が認証され、制御がスプールファイルマネージャ３０４に移行する。これらの操作により、先に選択された複数ジョブは、スプールファイルマネージャのウインドウ上で一つの結合ジョブとして表示される。ユーザがプレビューア３０６での確認同様、設定変更内容に従って、印刷を行う場合には、スプールファイルマネージャ３０４上で、印刷要求を発行する。印刷要求はグラフィックエンジン２０２に伝えられ、ディスパッチャ３０１経由で、プリンタドライバ２０３に印刷命令が送られ、印刷が実行される。
【００４８】
図４は、プリンタ１５００の一例である両面印刷機能を有するカラーレーザプリンタの断面図である。このプリンタはホストコンピュータ３０００より入力した印刷データに基づいて得られる各色毎の画像データで変調されたレーザ光をポリゴンミラー３１により感光ドラム１５を走査して静電潜像を形成する。この静電潜像をトナー現像して可視画像を得、これを中間転写体９へ全色について多重転写してカラー可視画像を形成する。更に、このカラー可視画像を転写材２へ転写し、転写材２上にカラー可視画像を定着させる。以上の制御を行う画像形成部は、感光ドラム１５を有するドラムユニット、接触帯電ローラ１７を有する一次帯電部、クリーニング部、現像部、中間転写体９、用紙カセット１や各種ローラ３、４、５、７を含む給紙部、転写ローラ１０を含む転写部及び定着部２５によって構成されている。
【００４９】
ドラムユニット１３は、感光ドラム（感光体）１５と感光ドラム１５のホルダを兼ねたクリーニング機構を有するクリーナ容器１４とを一体に構成したものである。このドラムユニット１３はプリンタ本体に対して着脱自在に支持され、感光ドラム１５の寿命に合わせて容易にユニット交換可能に構成されている。上記感光ドラム１５はアルミシリンダの外周に有機光導電体層を塗布して構成し、クリーナ容器１４に回転可能に支持されている。感光ドラム１５は、図示しない駆動モータの駆動力が伝達されて回転するもので、駆動モータは感光ドラム１５を画像形成動作に応じて反時計回り方向に回転させる。感光ドラム１５の表面を選択的に露光させることにより静電潜像が形成されるように構成されている。スキャナ部３０では、変調されたレーザ光を、モータ３１ａにより画像信号の水平同期信号を同期して回転するポリゴンミラーにより反射し、レンズ３２、反射鏡３３を介して感光ドラムを照射する。
【００５０】
現像部は、上記静電潜像を可視画像化するために、イエロー（Ｙ）、マゼンダ（Ｍ）、シアン（Ｃ）の現像を行う３個のカラー現像器２０Ｙ、２０Ｍ、２０Ｃと、ブラック（Ｂ）の現像を行う１個のブラック現像器２１Ｂとを備えた構成を有する。カラー現像器２０Ｙ、２０Ｍ、２０Ｃ及びブラック現像器２１Ｂには、スリーブ２０ＹＳ、２０ＭＳ、２０ＣＳ及び２１ＢＳと、これらスリーブ２０ＹＳ、２０ＭＳ、２０ＣＳ、２１ＢＳそれぞれの外周に圧接する塗布ブレード２０ＹＢ、２０ＭＢ、２０ＣＢ及び２１ＢＢとがそれぞれ設けられる。また３個のカラー現像器２０Ｙ、２０Ｍ、２０Ｃには塗布ローラ２０ＹＲ、２０ＭＲ、２０ＣＲが設けられている。
【００５１】
また、ブラック現像器２１Ｂはプリンタ本体に対して着脱可能に取り付けられており、カラー現像器２０Ｙ、２０Ｍ、２０Ｃは回転軸２２を中心に回転する現像ロータリー２３にそれぞれ着脱可能に取り付けられている。
【００５２】
ブラック現像器２１Ｂのスリーブ２１ＢＳは感光ドラム１５に対して例えば、３００μｍ程度の微小間隔を持って配置されている。ブラック現像器２１Ｂは、器内に内蔵された送り込み部材によってトナーを搬送すると共に、時計回り方向に回転するスリーブ２１ＢＳの外周に塗布ブレード２１ＢＢによって塗布するように摩擦帯電によってトナーへ電荷を付与する。また、スリーブ２１ＢＳに現像バイアスを印加することにより、静電潜像に応じて感光ドラム１５に対して現像を行って感光ドラム１５にブラックトナーによる可視画像を形成する。
【００５３】
３個のカラー現像器２０Ｙ、２０Ｍ、２０Ｃは、画像形成に際して現像ロータリー２３の回転に伴って回転し、所定のスリーブ２０ＹＳ、２０ＭＳ、２０ＣＳが感光ドラム１５に対して３００μｍ程度の微小間隔を持って対向することになる。これにより所定のカラー現像器２０Ｙ、２０Ｍ、２０Ｃが感光ドラム１５に対向する現像位置に停止し、感光ドラム１５に可視画像が作成される。
【００５４】
カラー画像形成時には、中間転写体９の１回転毎に現像ロータリー２３が回転し、イエロー現像器２０Ｙ、マゼンダ現像器２０Ｍ、シアン現像器２０Ｃ、次いでブラック現像器２１Ｂの順で現像処理がなされ、中間転写体９が４回転してイエロー、マゼンダ、シアン、ブラックのそれぞれのトナーによる可視画像を順次形成し、その結果フルカラー可視画像を中間転写体９上に形成する。
【００５５】
中間転写体９は、感光ドラム１５に接触して感光ドラム１５の回転に伴って回転するように構成されたもので、カラー画像形成時に時計回り方向に回転し、感光ドラム１５から４回の可視画像の多重転写を受ける。また、中間転写体９は画像形成時に後述する転写ローラ１０が接触して転写材２を挟持搬送することにより転写材２に中間転写体９上のカラー可視画像を同時に多重転写する。中間転写体の外周部には、中間転写体９の回転方向に関する位置を検知するためのＴＯＰセンサ９ａ及びＲＳセンサ９ｂと、中間転写体に転写されたトナー像の濃度を検知するための濃度センサ９ｃが配置されている。
【００５６】
転写ローラ１０は、感光ドラム１５に対して接離可能に支承された転写帯電器を備えたもので、金属軸を中抵抗発泡弾性体により巻回することによって構成されている。転写ローラ１０は、図４に実線で示すように中間転写体９上にカラー可視画像を多重転写している間は、カラー可視画像を乱さぬように下方に離開している。そして、上記中間転写体９上に４色のカラー可視画像が形成された後は、このカラー可視画像を転写材２に転写するタイミングに合わせてカム部材（不図示）により転写ローラ１０を図示点線で示す上方に位置させる。これにより転写ローラ１０は転写材２を介して中間転写体９に所定の押圧力で圧接すると共に、バイアス電圧が印加され、中間転写体９上のカラー可視画像が転写材２に転写される。
【００５７】
定着部２５は、転写２を搬送させながら、転写されたカラー可視画像を定着させるものであり、転写材２を加熱する定着ローラ２６と転写材２を定着ローラ２６に圧接させるための加圧ローラ２７とを備えている。定着ローラ２６と加圧ローラ２７とは中空状に形成され、内部にそれぞれヒータ２８、２９が内蔵されている。即ち、カラー可視画像を保持した転写材２は定着ローラ２６と加圧ローラ２７とにより搬送されると共に、熱及び圧力を加えることによりトナーが表面に定着される。可視画像定着後の転写材２は、その後排紙ローラ３４、３５、３６によって排紙部３７へ排出して画像形成動作を終了する。
【００５８】
クリーニング手段は、感光ドラム１５上及び中間転写体９上に残ったトナーをクリーニングするものであり、感光ドラム１５上に形成されたトナーによる可視画像を中間転写体９に転写した後の廃トナーあるいは、中間転写体９上に作成された４色のカラー可視画像を転写材２に転写した後の廃トナーは、クリーナ容器１４に蓄えられる。
【００５９】
印刷される転写材（記録用紙）２は、給紙トレイ１から給紙ローラ３により取り出されて中間転写体９と転写ローラ１０との間に挟まれるようにして搬送されてカラートナー画像が記録され、定着部２５を通過してトナー像が定着される。片面印刷の場合には、案内３８が上方の排紙部に記録用紙を導くように搬送経路を形成するが、両面印刷に対しては、下方の両面ユニットに導くように経路を形成する。
【００６０】
両面ユニットに導かれた記録用紙は、搬送ローラ４０によりトレイ１の下部（二点鎖線で示す搬送経路）に一旦送り込まれた後に逆方向に搬送され、両面トレイ３９に送られる。両面トレイ３９上では、用紙は給紙トレイ１に載置された状態とは表裏が逆になり、また搬送方向について前後が逆になっている。この状態で再びトナー像の転写、定着を再度行うことで、両面印刷ができる。
【００６１】
図５は、スプーラ３０２における、スプールファイル３０３の生成におけるページ単位保存ステップの処理をフローチャートで示したものである。まずステップＳ５０１では、スプーラ３０２は、アプリケーションからグラフィックエンジン２０２を介して印刷要求を受け付ける。アプリケーションにおいては、図８に示すような印刷設定を入力するダイアログが表示され、このダイアログから入力された印刷設定がプリンタドライバよりスプーラ３０３に渡される。図８に示す設定入力ダイアログにおいては、８０１のような１物理ページにレイアウトする論理ページの数を決定するような設定項目等を含んでいる。
【００６２】
ステップＳ５０２では、スプーラ３０２は、受け付けた印刷要求がジョブ開始要求か判定し、もしステップＳ５０２でジョブ開始要求であると判断した場合には、ステップＳ５０３に進み、スプーラ３０２は、中間データを一時的に保存するためのスプールファイル３０３を作成する。続いて、ステップＳ５０４では、スプーラ３０２は、スプールファイルマネージャ３０４へ印刷処理の進捗を通知し、続くステップＳ５０５でスプーラ３０２のページ数カウンタを１に初期化する。ここで、スプールファイルマネージャ３０４においては、印刷が開始されたジョブに対するジョブの情報や加工設定などをスプールファイル３０３より読み込み、記憶する。
【００６３】
一方、ステップＳ５０２において、ジョブ開始要求ではなかったと判断した場合には、ステップＳ５０６に進む。ステップＳ５０６では、スプーラ３０２は、受け付けた要求がジョブ終了要求かどうかの判別を行う。ジョブ終了要求でないと判断した場合には、ステップＳ５０７に進み、改ページかどうかの判別を行う。もしもステップＳ５０７で改ページであると判断した場合には、ステップＳ５０８に進み、スプールファイルマネージャ３０４へ印刷処理の進捗を通知する。そしてページ数カウンタをインクリメントして、中間コードを格納しているページ描画ファイルを閉じ、次のページ描画ファイルを生成する。
【００６４】
ステップＳ５０７において、受け付けた印刷要求が改ページではないと判断した場合には、ステップＳ５０９に進み、スプーラ３０２は、ページ描画ファイルへの中間コードの書き出しの準備を行う。次に、ステップＳ５１０では、印字要求をスプールファイル３０３へ格納するため、スプーラ３０２は、印字要求のＤＤＩ関数の中間コードへの変換処理を行う。ステップＳ５１１では、スプーラ３０２は、ステップＳ５１０において格納可能な形に変換された印刷要求（中間コード）をスプールファイル３０３のページ描画ファイルへ書き込む。その後、ステップＳ５０１に戻り、再びアプリケーションからの印刷要求を受け付ける。この一連のステップＳ５０１からステップＳ５１１までの処理を、アプリケーションよりジョブ終了要求（End Doc）を受け取るまで続ける。また、スプーラ３０２は、同時にプリンタドライバ２０３からＤＥＶＭＯＤＥ構造体に格納されている加工設定等の情報を取得し、ジョブ設定ファイルとしてスプールファイル３０３に格納する。
【００６５】
一方、ステップＳ５０６にて、アプリケーションからの印刷要求がジョブ終了であると判断した場合には、アプリケーションからの印刷要求は全て終了であるので、ステップＳ５１２に進み、スプールファイルマネージャ３０４へ印刷処理の進捗を通知し、処理を終える。
【００６６】
図６は、スプールファイルマネージャ３０４における、スプールファイル３０３生成プロセスと以降説明する印刷データ生成プロセスの間での制御の詳細をフローチャートで示したものである。図６において、ステップＳ６０１では、スプールファイルマネージャ３０４は、スプーラ３０２あるいはデスプーラ３０５からの印刷処理の進捗通知を受け付ける。ステップＳ６０２では、スプールファイルマネージャ３０４は、もし進捗通知が前述のステップＳ５０４において通知されるスプーラ３０２からの印刷開始通知であるかどうか判定し、もしそうであればステップＳ６０３へ進み、印刷の加工設定をスプールファイル３０３から読み込み、ジョブの管理を開始する。
【００６７】
一方、ステップＳ６０２において、スプーラ３０２からの印刷開始通知でなければステップＳ６０４へ進み、スプールファイルマネージャ３０４は、進捗通知が前述のステップＳ５０８において通知されるスプーラ３０２からの１論理ページの印刷終了通知であるかどうか判定する。ここで１論理ページの印刷終了通知であればステップＳ６０５へ進み、この論理ページに対する論理ページ情報を格納する。そして、続くステップＳ６０６では、この時点でスプールが終了したｎ論理ページに対して、１物理ページの印刷が開始できるかを判定する。ここで、印刷可能である場合はステップＳ６０７へ進み、印刷する１物理ページに対して割り付けられる論理数から物理ページ番号を決定する。
【００６８】
物理ページの計算については、例えば、加工設定が１物理ページに４論理ページを配置するような設定の場合、第１物理ページは第４論理ページがスプールされた時点で印刷可能となり、第１物理ページとなる。続いて、第２物理ページは第８論理ページがスプールされた時点で印刷可能となる。また、論理ページ数の総数が１物理ページに配置する論理ページ数の倍数でなくても、ステップＳ５１２におけるスプール終了通知によって１物理ページに配置する論理ページが決定可能である。
【００６９】
ステップＳ６０８では、図１０に示すような形式で、印刷可能となった物理ページを構成する論理ページ番号と、その物理ページ番号などの情報がジョブ出力用設定ファイル（物理ページ情報を含むファイル）に保存され、物理ページ情報が１物理ページ分追加されたことがデスプーラ３０５に通知される。その後ステップＳ６０１に戻り、次の通知を待つ。本実施形態においては、印刷データ１ページ、即ち１物理ページを構成する論理ページがスプールされた時点で印刷ジョブのスプールが全て終了していなくても印刷処理が可能である。
【００７０】
一方、ステップＳ６０４において、進捗通知がスプーラ３０２からの１論理ページの印刷終了通知でなかった場合ステップＳ６０９へ進み、スプールファイルマネージャ３０４は、前述のステップＳ５１２において通知されるスプーラ３０２からのジョブ終了通知であるかどうかを判定する。ここで、ジョブ終了通知である場合、前述のステップＳ６０６へ進む。一方、ジョブ終了通知でない場合、ステップＳ６１０へ進み、スプールファイルマネージャ３０４は、受け付けた通知がデスプーラ３０５からの１物理ページの印刷終了通知であるかどうか判定する。ここで、１物理ページの印刷終了通知である場合はステップＳ６１２へ進み、加工設定の印刷が全て終了したかを判定する。印刷終了した場合、ステップＳ６１２へ進み、デスプーラ３０５に印刷終了の通知を行う。
【００７１】
一方、加工設定に対する印刷がまだ終了していないと判断した場合、前述の６０６へ進む。本実施形態におけるデスプーラ３０５は印刷処理を行う単位として１物理ページ数を想定している。また、ステップＳ６０８では、１物理ページの印刷処理を行うのに必要な情報をファイルに逐次保存し、再利用可能な形式にしているが、再利用不要な場合には、共有メモリ等高速な媒体を使用し、１物理ページ単位で次々と上書きする実装にして、速度とリソースを節約するような実装形式であってもよい。また、デスプールの進捗よりもスプールの進捗の方が早い場合や全ページのスプール終了後からデスプールが開始されるような場合には、ステップＳ６０８で１物理ページ毎にページ印刷可能を通知せずに、デスプール側の進捗に応じて、複数物理ページもしくは全物理ページが印刷可能になったという通知内容にして、通知回数を節約することが可能である。
【００７２】
ステップＳ６１０において、通知がデスプーラ３０５からの１物理ページの印刷終了通知でないと判断された場合、ステップＳ６１３へ進み、スプールファイルマネージャ３０４は、デスプーラ３０５からの印刷終了通知かどうかを判定する。通知がデスプーラ３０５からの印刷終了通知と判定された場合、ステップＳ６１４へ進み、スプールファイルマネージャ３０４は、スプールファイル３０３の該当するページ描画ファイルの削除を行い処理を終える。ただし、一方、デスプーラ３０５からの印刷終了通知でなかった場合はステップＳ６１５へ進み、その他通常処理を行い、次の通知を待つ。
【００７３】
図７は、デスプーラ３０５における、印刷データの生成プロセスの詳細をフローチャートで示したものである。図７において、デスプーラ３０５は、スプールファイルマネージャ３０４からの印刷要求に応じて、スプールファイル３０３から必要な情報（ページ描画ファイルおよびジョブ設定ファイル）を読み出して印刷データを生成する。生成された印刷データにおけるプリンタへの転送方法については図３で説明した通りである。
【００７４】
印刷データの生成では、まず、ステップＳ７０１において、前述のスプールファイルマネージャ３０４からの通知を入力する。続くステップＳ７０２では、デスプーラ３０５は、入力された通知がジョブの終了通知かどうか判定し、ジョブ終了通知であるならばステップＳ７０３へ進み、終了フラグを立て、ステップＳ７０５へ進む。一方、ステップＳ７０２においてジョブ終了通知でない場合は、ステップＳ７０４に進み、前述のステップＳ６０８における１物理ページの印刷開始要求が通知されたかどうか判定する。ステップＳ７０４において開始要求と判定されなかった場合は、ステップＳ７１０へ進み、その他エラー処理を行い、ステップＳ７０１へ戻り次の通知を待つ。
【００７５】
一方、ステップＳ７０４において１物理ページの印刷開始要求と判定された場合は、ステップＳ７０５へ進み、デスプーラ３０５は、ステップＳ７０４で通知を受けた印刷処理可能な物理ページのＩＤを保存する。続くステップＳ７０６では、デスプーラ３０５は、ステップＳ７０５で保存した物理ページＩＤのすべてのページに関して印刷処理が済んでいるかどうか判定する。ここで全物理ページの処理が済んでいる場合は、ステップＳ７０７へ進み、前述のステップＳ７０３で終了フラグが立てられているのか判定する。終了フラグがたっている場合は、ジョブの印刷が終了したとみなし、デスプーラ３０５の処理終了の通知をスプールファイルマネージャ３０４に通知し、処理を終える。ステップＳ７０７で、終了フラグが立っていないと判定された場合は、ステップＳ７０１へ戻り次の通知を待つ。
【００７６】
一方、ステップＳ７０６で、印刷可能な物理ページが残っていると判定された場合には、ステップＳ７０８へ進み、デスプーラ３０５は、保存された物理ページＩＤから未処理の物理ページＩＤを順に読み出し、読み出した物理ページＩＤに対応する物理ページの印刷データ生成に必要な情報を読み込み、印刷処理を行う。印刷処理はスプールファイル３０３に格納された印刷要求命令をデスプーラ３０５においてグラフィックエンジン２０２が認識可能な形式（ＧＤＩ関数）に変換し、転送する。
【００７７】
本実施形態のような、複数論理ページを１物理ページにレイアウトするような加工設定（以下Ｎページ印刷）については、このステップＳで縮小配置を考慮にいれながら変換する。必要な印刷処理が終えたならば、続くステップＳ７０９において１物理ページの印刷データ生成終了の通知をスプールファイルマネージャ３０４に対して行う。そして再びステップＳ７０６へ戻り、ステップＳ７０５で保存しておいた印刷可能な物理ページＩＤすべてについて印刷処理を行うまで繰り返す。
【００７８】
以上が、ディスパッチャ３０１、スプーラ３０２、スプールファイルマネージャ３０４、デスプーラ３０５を用いた印刷処理の流れである。上記のように処理することにより、スプーラ３０２が中間コードを生成してスプールファイル３０３に格納するタイミングでアプリケーション２０１が印刷処理から開放されるので、プリンタドライバ２０３に直接出力するよりも短時間で済む。また、スプールファイル３０３にプリンタドライバの印刷設定を踏まえた中間ファイル（ページ描画ファイル、ジョブ設定ファイル）として一時保存しているので、実際に印刷されるべき印刷プレビューをユーザに認識させることや、複数のアプリケーションにより生成した印刷ジョブの結合や並び替えが可能となり、印刷設定の変更を行う場合にも、再度アプリケーションを立ち上げて印刷をすることなしにユーザに行わせることを可能とする。
【００７９】
ここで、スプーラ３０２を用いた印刷処理において、デスプーラ３０５によりグラフィックエンジン２０２への印刷要求時にジョブ出力用設定ファイルが生成されるが、プレビューやジョブ結合等を行う場合もジョブ出力用設定ファイルが生成される。ジョブ出力用設定ファイルは、単体ジョブの場合はジョブ設定ファイルと同等のものであり、結合ジョブの場合は複数のジョブ設定情報に基づいて生成されるものである。ここでジョブ出力用設定ファイルについて説明する。
【００８０】
図１０は、ステップＳ６０８において、スプールファイルマネージャ３０４が生成する印刷可能となった物理ページを構成する情報を保存しているジョブ出力用設定ファイルの例を示す。フィールド１００１は、ジョブを識別するためのＩＤで、本情報を保存しているファイル名や共有メモリの名称という形で保持することも可能である。フィールド１００２はジョブ設定情報である。ジョブ設定情報には、グラフィックエンジン２０２に対してジョブの印刷を開始するために必要な構造体、Ｎページ印刷の指定、ページ枠などの追加描画の指定、部数、ステイプルなどのフィニッシング指定など、１つのジョブに対して１つしか設定できない情報が含まれている。ジョブ設定情報１００２には、ジョブに対する機能に応じて必要なだけ情報が保存される。フィールド１００３はジョブの物理ページ数で、本フィールド以降、この数の分だけ物理ページ情報が保存されていることを示す。本実施形態では、印刷可能な物理ページ数を通知する方式であるので、このフィールドは無くても動作可能である。これ以降、フィールド１００４から最後までフィールド１００３の数だけ物理ページ情報が格納される。物理ページ情報については図１２で説明する。
【００８１】
図１１は、図１０のフィールド１００２に図示されたジョブ設定情報の一例である。フィールド１１０１は全物理ページ数である。フィールド１１０２は、全論理ページ数である。フィールド１１０１および１１０２は、印刷データに追加して、ページ数などを付加情報として印刷する場合などに利用する。印刷が続いている際には、両フィールドは暫定的な値、もしくは、印刷が終了するまでスプールファイルマネージャ３０４は印刷可能な物理ページの情報の作成を延期する。フィールド１１０３は本印刷ジョブを何部印刷するかを指定する部数情報である。フィールド１１０４は、フィールド１１０３で複数部印刷する設定の場合、部単位で印刷するかどうかの指定である。フィールド１１０４はステイプル、パンチ、Ｚ折などのフィニッシング情報で、プリンタ本体もしくは外部にフィニッシャーがある場合に指定される。フィールド１１０６は付加印刷情報で、ページ枠などの飾り、日付などの付加情報、ユーザ名、ページ数、ウォーターマーク印刷等、ジョブに対して付加する情報が保存される。機能が増えるに従って本ジョブ設定情報に含まれるフィールドの数も増加し、例えば、両面印刷が可能な場合は、両面印刷の指定を保存するフィールドが追加される。
【００８２】
図１２は、図１０のフィールド１００４に図示された物理ページ情報の一例を示す。最初のフィールド１２０１は物理ページ番号で、印刷順序の管理や、物理ページ番号を追加印刷する際に使用される値である。フィールド１２０２は物理ページ設定情報で、物理ページ毎にレイアウトやカラー・モノクロの指定が可能である場合、レイアウトやカラー・モノクロの設定が保存される。フィールド１２０３は本物理ページに割り付けられる論理ページ数で、１物理ページに４ページを割り付ける場合には４もしくは４ページ印刷を示すＩＤが保存される。フィールド１２０４以降はフィールド１２０３で指定された数だけ論理ページの情報が保存される。アプリケーション２０１から印刷されたページ数によっては、１２０３で指定されるページ数よりも実際のページデータ数が少なくなる場合がある。その場合には、論理ページ情報に空ページを示す特別なデータを保存して対応する。
【００８３】
図１３は、１２０２の物理ページ設定情報の例である。フィールド１３０１は物理ページ上への論理ページの配置順で、Ｎページ印刷で、物理ページ上に論理ページを配置する順番（左上から横へ、左上から下へ等）の指定が保存されている。システムによっては、配置順ではなく、フィールド１２０４以降の論理ページ情報の順番をページ番号順ではなく、配置順に応じた順序で配することで１３０１の設定を代用する場合もある。フィールド１３０２は両面印刷の表・裏の情報で、例えば、綴じ代を表裏でそろえる際に使用される。
【００８４】
フィールド１３０３はカラーページかモノクロページかの指定で、プリンタがモノクロモードとカラーモードを持つ場合、カラーページとモノクロページが混在する文書で、カラーページをカラーモードで、モノクロページをモノクロモードで印刷したい場合などに使用される値である。この情報を持つことにより、オートカラーモードとして、ページ単位にカラープリンタで処理を変更することが可能となる。つまり、カラーページは、中間転写体（中間転写ドラム、中間転写ベルト）もしくは転写体（転写ドラム、転写ベルト）がデバイスカラーの数分、ＹＭＣＫなら４回転し、モノクロページは、ブラックだけ１回転することにより転写制御することを可能とする。フィールド１３０４は付加印刷情報で、物理ページに対して、ページ数や、日付などの付加情報を印刷する場合に使用される。物理ページ設定情報も、システムの機能に応じてフィールドが追加される。
【００８５】
図１４は、１２０４で示された論理ページ情報の一例を示す。フィールド１４０１は論理ページのＩＤで、このＩＤを利用して、スプールファイル３０３から論理ページに対応するページ描画ファイルの中間コードを参照する。このＩＤを利用して論理ページの中間コードへアクセス可能であれば良く、ファイルやメモリポインタであっても、論理ページを構成する中間コード自身が入っていてもよい。フィールド１４０２は論理ページ番号で論理ページ番号を付加情報として印刷する場合や、論理ページＩＤの補助情報に使用される。フィールド１４０３のフォーマット情報には、論理ページ単位で指定可能である各種設定項目が保存される。例えば、ページ枠などの付加印刷情報、拡縮率などの論理ページ単位に指定される各種設定の情報が保存される。また、必要であれば、論理ページ単位のカラー・モノクロ情報などの論理ページに対する属性情報を保存する事も可能である。逆に、論理ページ単位で設定を切りかえる事や論理ページ単位での属性情報が不要であるようなシステムでは、フィールド１４０３は不要である。
【００８６】
ジョブ出力用設定ファイルは、上記のように構成されている。なお、ジョブ設定ファイルもほぼ同様であり、印刷体裁（片面、両面、製本印刷）、印刷レイアウト（Ｎｕｐ、ポスター印刷）、付加情報（ウォーターマーク、日付、ユーザ名の付加）、部数、用紙サイズ情報がジョブとして有しており、物理ページ毎に、論理ページの配置順、両面印刷の表面か、裏面か、カラーモード等から構成されている。
【００８７】
更に、図３では、これまで説明した拡張システムに加えて、ジョブの設定変更機能を持つ設定変更エディタ３０７を配した例を示している。本実施形態ではジョブの設定内容は、単体ジョブは、ジョブ設定ファイルに、また結合ジョブは、図１０に示したジョブ出力用設定ファイル中に含まれており、中間コードを保存しているページ描画ファイル３０３とは独立しているため、ジョブ出力用設定ファイルを作り変えることでジョブの設定変更が可能である。設定変更エディタ３０７は単独で、あるいはスプールファイルマネージャ３０４と連携して、ジョブ出力用設定ファイルを作り変え、あるいは、一部を書き換えることでジョブの設定変更機能を実現している。
【００８８】
図１５は、設定変更エディタ３０７におけるジョブ設定変更処理プロセスの詳細をフローチャートで示したものである。まずステップＳ１５０１では、設定変更エディタは、ジョブ設定ファイルもしくはジョブ出力用設定ファイルを読み込む。ジョブ出力用設定ファイルはプレビューア３０５、デスプーラ３０３が読み込むものと同じファイルである。次に、ステップＳ１５０２へ進み、読み込んだ結果を、ユーザに表示する。ステップＳ１５０３で、図１８に示したようなユーザインタフェース上で、ユーザとの対話を行い、前述したメニューの指定等により設定内容を変更する。このステップは、対話形式でなく、ファイルなどに書きこまれた設定変更の内容に応じて変更するバッチ形式でもよい。
【００８９】
次にステップＳ１５０４へ進み、ステップＳ１５０１で設定変更エディタは、最初に読み込んだ内容と、現在指定されている設定内容に変更があったかどうかの判定を行う。設定内容に変更があった場合は、ステップＳ１５０５へ進み、新規のジョブ出力用設定ファイルを生成し、変更があったことをスプールファイルマネージャに通知して終了する。ステップＳ１５０４で、変更がないと判定された場合は、変更がなかったことをスプールファイルマネージャに通知して終了する。このように新規のジョブ出力用設定ファイルを生成するが、図１８のユーザインタフェース画面において、「ＯＫ」ボタンが選択されることにより、新規のジョブ出力用設定ファイルが有効となり、古いジョブ出力用設定ファイルは削除される。また、ジョブ出力用設定ファイルからの変更ではなく、単体ジョブのジョブ設定ファイルの場合は削除せずに保存しておく。
【００９０】
また、図１８の画面で「初期状態に戻す」ボタンが選択された場合は、新規のジョブ出力用設定ファイルを削除し、古いジョブ出力用設定ファイルが有効となり、表示に反映させる。本実施形態では、設定変更エディタ３０７を別モジュールとして説明しているが、単にスプールファイルマネージャ３０４のユーザインタフェースの一部であってもよい。設定変更エディタ３０７で実際に変更内容をジョブ出力用設定ファイルに書きこまずに、設定変更の内容のみをスプールファイルマネージャ３０４へと通知するだけで、実際のジョブ出力用設定ファイルの変更はスプールファイルマネージャ３０４側で行う実装形式でもよい。
【００９１】
図３では、更に、複数印刷ジョブを結合し、一つの印刷ジョブとして印刷する拡張システムが図示されているが、結合ジョブをデスプール・プレビューするための拡張について説明する。
【００９２】
通常、中間形式のスプールファイル３０３はジョブ単位で作成される。単独ジョブの場合は、処理対象ジョブファイル中の各論理ページの中間コードを順に読み出して処理を行うので、フィールド１４０１の論理ページＩＤは、各論理ページがファイルのどこに位置しているのかを示す相対あるいは絶対オフセットで実現可能である。結合ジョブの場合はフィールド１４０１のジョブＩＤから、スプールファイルと、そのジョブに属するページ情報を特定する必要がある。本実施形態では、スプールファイルを識別するＩＤを論理ページＩＤに付加することで、スプールファイルを特定する方式とする。この場合、主な変更点はフィールド１４０１のみで済む。スプールファイルが識別できれば、ページ部分の読み込みは単独ジョブの処理と同じロジックで処理することが可能であるからである。また、スプールファイルが各論理ページ毎に別ファイルの形で保存されている場合は、論理ページのファイル名をそのままフィールド１４０１の論理ページＩＤとする実装形もある。
【００９３】
図１９は本発明の特徴である表紙用紙への面付け処理を説明するためのフローチャートを示した図である。本図における処理は、本発明の印刷制御プログラムが提供するモジュールであるスプールファイルマネージャ３０４に基づいて情報処理装置のＣＰＵ１０１が制御することにより実現される。このフローチャートを用いて、本発明の処理フローを説明する。前記したように、一連の印刷処理の中で、スプーラ３０２からロードされたスプールファイルマネージャ３０４はジョブ設定ファイルを読み込み、まず製本印刷を行うかの判定処理Ｓ１９０１が行われる。これはプリンタドライバが提供する図２８のユーザインタフェース（図９のユーザインタフェースの「仕上げシート」に相当）でユーザが製本印刷の指定を行ったかを判定する処理である。製本印刷の指定がされていない場合は、製本印刷以外の別処理Ｓ１９０３に進む。ここでは製本印刷が指定されているものとして説明する。また、プリンタドライバが印刷設定で提供するユーザインタフェースを用いてスプールファイルを生成する前にユーザが指定する場合だけでなく、図９のユーザインタフェースで「ストア」が選択され、他の印刷ジョブとの編集を行う際に提供される図１８に示すユーザインタフェースの印刷方法で「製本印刷」が指定される場合に、Ｓ１９０２以下の処理が行われてもよい。
【００９４】
次に、製本表紙印刷を行うかの判定処理Ｓ１９０２が行われる。これも製本印刷指定同様、ドライバのユーザインタフェースから製本表紙印刷の指定がされているかを判定する処理である。これは製本印刷の指定を行うユーザインタフェース（図２８）において「製本詳細」ボタンを指定することにより開かれる図２９に示すダイアログボックスにおいてユーザが「製本表紙の印刷」のチェックボックスの指定を行ったかを判断することにより判定される。製本表紙印刷の指定がされていない場合は、通常の製本印刷処理Ｓ１９０４となり、現状通りの製本の面付けが行われる。ここでは、製本表紙印刷の指定がされているものとして説明する。
【００９５】
次に、表紙に必要なページ数の算出処理Ｓ１９０５が行われる。これは製本表紙に印刷すべきページ数を算出する処理で、ここでは表紙の表、裏、裏表紙の表、裏全てに印刷するものとし、４ページを必要とするものとする。そして、アプリケーションからの印刷データの総ページ数がｎページ以上かの判定処理Ｓ１９０６が行われる。先に行われた、表紙に必要なページ数の算出処理Ｓ１９０５により算出されたページとアプリケーションからの印刷データを比較する処理であり、ここでは、５ページ以上かが問われる。５ページ以上であると、１、２、最終ページ−１、最終ページを表紙部分に面付けすることを判定し、５ページ未満であると、アプリケーションから出力されるすべての論理ページを表紙部分に面付けすることを判定（表紙ページ判定処理）する。
【００９６】
５ページ以上であると、表紙への面付け処理Ｓ１９０７が行われる。これは図２１に示すように主に１、２ページを表紙の表（本実施例では、「表紙」と呼ぶ）、裏（本実施例では、「見返し」と呼ぶ）にそれぞれ面付けする処理Ｓ２１０１、最終ページ、最終ページ−１を裏表紙の表（本実施例では、「裏表紙」と呼ぶ）、裏（本実施例では、「裏表紙の見返し」と呼ぶ）にそれぞれ面付けする処理Ｓ２１０２からなる。１、２ページを表紙の表、裏にそれぞれ面付けする処理Ｓ２１０１とは図２３のａ，ｂにアプリケーションからの印刷データの１、２ページ目を割り付ける処理である。また、最終ページ、最終ページ−１を裏表紙の表、裏にそれぞれ面付けする処理Ｓ２１０２とはｃ，ｄにアプリケーションからの印刷データの最終ページ−１、最終ページを割り付ける処理である。例えば、アプリケーションからの印刷データが図２６のように７ページであれば、１，２ページ目が、ａ、ｂに６、７ページ目がｃ，ｄに割り付けられるわけである（ここでは左開きを仮定している）。
【００９７】
その後、残りのページでの製本面付け処理Ｓ１９０９が行われる。これは表紙、裏表紙分を除いたアプリケーションからの印刷データを内側の用紙に製本印刷として割り付ける処理である。印刷データが図２６のように７ページと仮定した場合、図２３のｅ，ｆ，ｇに３，４，５ページ目が割り付けられる。
【００９８】
その後、表紙、見返し、裏表紙、裏表紙の見返しを面付けした表紙部分を含めたデスプール処理Ｓ１９１０が行われる。デスプーラ３０５が、前記した表紙部分への面付け処理Ｓ１９０７及び残りのページでの製本面付け処理Ｓ１９０９により面付けされた印刷データ（中間データ形式でスプールファイル３０３に格納されている）を面付け順にスプールファイル３０３から読み出して面つけし、ＯＳの提供する描画手段であるグラフィックエンジン２０２が解釈可能な描画関数（ＧＤＩ関数）を再生成し、生成された描画関数をグラフィックエンジン２０２に出力する。これにより表紙及び内側の用紙に製本面付けされた描画内容がグラフィックエンジン２０２からプリンタドライバ２０３が受け取ることになり、描画内容に応じて生成される印刷データをプリンタ１５００は製本印刷することにより、表紙部分の描画が正しく印刷された製本印刷結果が得られることとなる。このようにして得られた結果が図２４である。前述した従来の印刷結果である図３０と比べると「裏表紙」及び「裏表紙の見返し」に正しく描画内容が印刷されていることがわかる。
【００９９】
また、先のアプリケーションからの印刷データの総ページ数がｎページ以上かの判定処理Ｓ１９０６で、５ページ未満であると判定された場合、総ページ数がｎページ未満の表紙への面付け処理Ｓ１９０８が行われる。これは送られてくるデータが表紙への面付けに必要なページ数よりも少ない場合の処理で、送られた順に図２３のａ，ｂ，ｃ，ｄに面付けを行う処理である。例えば、３ページデータであるならば、１，２，３ページがそれぞれ、ａ，ｂ，ｃに面付けされることとなる。
【０１００】
このようにアプリケーションから出力される表紙への印刷を考慮した文書の論理ページ数が製本印刷の面付けを考慮していない数であっても、本印刷制御プログラムにより表紙部分への面付け処理が正しく行われるので、ユーザの所望とする製本印刷結果が得られることになる。
【０１０１】
＜第２実施形態＞
本発明の第２実施形態によると、製本表紙印刷において、表紙、裏表紙のどの部分に印刷するかを選択できる場合が考えられる。これを図２０を用いて説明する。第１実施形態と同様に、一連の印刷処理の中で、スプーラ３０２からロードされたスプールファイルマネージャ３０４はジョブ設定ファイルを読み込み、まず製本印刷を行うかの判定処理Ｓ２００１が行われる。これはドライバのユーザインタフェース（図２８）から製本印刷の指定がされているかを判定する処理である。製本印刷の指定がされていない場合は、本特許の範囲外であるため、別処理Ｓ２００３とする。ここでは製本印刷が指定されているものとして説明する。
【０１０２】
次に、製本表紙印刷を行うかの判定処理Ｓ２００２が行われる。判定処理Ｓ２００２は、製本印刷指定と同様に、ドライバのユーザインタフェース（図２９）から製本表紙印刷の指定がされているかを判定する処理である。製本表紙印刷の指定がされていない場合は、通常の製本印刷処理Ｓ２００６となり、現状通りの製本の面付けが行われる。ここでは、製本表紙印刷の指定がされているものとして説明する。
【０１０３】
次に、表紙のどの部分に印刷を行うかの判定処理が行われる。これは、表紙部分の「表紙」、「見返し」、「裏表紙」、「裏表紙の見返し」のどの部分に印刷を行うかの判定を行う処理である。これはドライバのユーザインタフェース（図２９）から製本表紙指定時に選択できるものとする。図２９のユーザインタフェースでは、「表紙部分すべて」が選択されているが、他に「表紙と裏表紙」に印刷、「表紙と見返し」に印刷などの複数の表紙の面付けモードが存在する。また、このようなプルダウンウインドウを用いて面付けモードを選択せずに、例えば、「表紙に印刷」「見返しに印刷」「裏表紙に印刷」「裏表紙の見返しに印刷」の４つのラジオボタンを用意し、ユーザにそれぞれ選択させることにより表紙部分の印刷設定を行うことも可能である。この処理は図２２のフローチャートで示すようにそれぞれの面に印刷するかの判定をスプールファイルマネージャ３０４が行い、表紙面付けフラグのセット処理Ｓ２２０２を行うことで実現される。例えば、ユーザインタフェース上から、「表紙と裏表紙に印刷」が選択されているとすると、「見返し」と「裏表紙の見返し」には表紙面付けフラグがセットされないこととなる。
【０１０４】
次に、表紙に必要なページ数の算出処理Ｓ２００５が行われる。これは製本表紙に印刷すべきページ数を算出する処理で、ここでは「表紙と裏表紙に印刷」が選択されているわけであるから、２ページを必要とするものとする。そして、アプリケーションからの印刷データの総ページ数がｎページ以上かの判定処理Ｓ２００７が行われる。先に行われた、表紙に必要なページ数の算出処理Ｓ２００５により算出されたページとアプリケーションからの印刷データを比較する処理であり、ここでは２ページ以上かが問われる。ｎページ以上であると、所定のページ（「表紙と裏表紙に印刷」が選択されている場合は、１、最終ページ）を表紙部分に面付けすることを判定し、ｎページ未満であると、アプリケーションから出力されるすべての論理ページを表紙部分に面付けすることを判定（表紙ページ判定処理）する。
【０１０５】
２ページ以上であると、表紙への面付け処理Ｓ２００８が行われる。これは表紙の表、裏、裏表紙の表、裏にそれぞれ面付けを行う処理であるが、それぞれの選択が可能であるため表紙、裏表紙への印刷を行うページの割り付けが異なってくる。
例えば、「表紙に印刷」、「裏表紙に印刷」および「裏表紙の見返しに印刷」のラジオボタンがそれぞれ選択されている場合には、総ページが図２７のように７ページであるとすると、図２３のａには１ページ目が、ｂは白紙となり、ｃに６ページ目、ｄに７ページ目が割り付けられる（ここでも左開きを仮定している）。
【０１０６】
そして、残りのページでの製本面付け処理Ｓ２０１０が行われる。これは表紙、裏表紙分を除いたアプリケーションからの印刷データを内側の用紙に製本印刷として割り付ける処理である。この場合、スプールファイルマネージャ３０４により図２３のｅ、ｆ、ｇ、ｈに２、３，４，５ページ目が割り付けられる。
【０１０７】
その後、表紙を含めたデスプール処理Ｓ２０１０が行われる。前記した表紙への面付け処理Ｓ２００７及び残りのページでの製本面付け処理Ｓ２００９により面付けされた印刷データをデスプール処理にかける処理である。これにより表紙及び内側の用紙（本文）に製本面付けされた製本印刷結果が得られることとなる。このようにして得られた結果が図２５（「見返しに印刷」のラジオボタンが選択されていない場合に相当）である。
【０１０８】
また、先のアプリケーションからの印刷データの総ページ数がｎページ以上かの判定処理Ｓ２００７で、３ページ未満であると判定された場合、総ページ数がｎページ未満の表紙への面付け処理Ｓ２００９が行われる。これは送られてくるデータが表紙への面付けに必要なページ数よりも少ない場合の処理で、送られた順に図２３のａ，ｂ，ｃ，ｄの有効印刷面に面付けを行う処理である。例えば、２ページデータで、「表紙の裏には印刷しない」が選択されているとすると、１ページ目がａ，２ページ目がｃに面付けされることとなる。
【０１０９】
このように、本第２実施形態によれば、表紙部分への面付け処理をユーザが所望とする部分にのみ行うことが可能となり、アプリケーションによる文書作成時に複雑な表紙部分への描画順序を考慮することなく、よりバリエーションにとんだ製本印刷結果を簡単に得ることが可能となる。
【０１１０】
なお、本発明は、複数の機器（例えば、ホストコンピュータ、インタフェース機器、リーダ、プリンタなど）から構成されるシステムに適用しても、一つの機器からなる装置（複写機、プリンタ、ファクシミリ装置など）に適用してもよい。
【０１１１】
本発明の目的は、前述した実施形態の機能を実現するソフトウェアのプログラムコードを記憶した記憶媒体を、システムあるいは装置のコンピュータ（またはＣＰＵやＭＰＵ）が記憶媒体に格納されたプログラムコードを読出し実行することによっても、達成される。この場合、記憶媒体から読み出されたプログラムコード自体が前述した実施形態の機能を実現することになり、そのプログラムコードを記憶した記憶媒体は本発明を構成することになる。
【０１１２】
プログラムコードを供給するための記憶媒体としては、例えば、フロッピーディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【０１１３】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部または全部を行い、その処理によって前述した実施形態の機能が実現される場合も含まれることは言うまでもない。
【０１１４】
更に、記憶媒体から読出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【０１１５】
【発明の効果】
以上説明したように、請求項に記載された本発明の製本印刷処理装置および方法によれば、表紙の表、裏、裏表紙の表、裏に印刷するか否かを選択することによってユーザの所望する製本表紙を得ることができる。
【図面の簡単な説明】
【図１】本発明の一実施形態に係る印刷制御装置の構成を説明するブロック図である。
【図２】プリンタが接続されたホストコンピュータの典型的なプリントシステムの構成を示すブロック図である。
【図３】アプリケーションからの印刷命令をプリンタ制御コマンドに変換する前に、一旦中間コードスプールするプリントシステムの構成を示すブロック図である。
【図４】本発明におけるプリンタについて説明した図である。
【図５】スプーラ３０２における処理を示したフローチャートである。
【図６】スプールファイルマネージャ３０４における印刷制御について示したフローチャートである。
【図７】デスプーラ３０５における処理を示したフローチャートである。
【図８】印刷設定画面の一例である。
【図９】印刷スプール設定画面の一例である。
【図１０】ステップＳ６０８において、スプールファイルマネージャ３０４が生成する印刷可能となった物理ページを構成する情報を保存しているジョブ出力用設定ファイルの例を示す図である。
【図１１】図１０のフィールド１００２に図示されたジョブ設定情報の一例を示す図である。
【図１２】図１０のフィールド１００４に図示された物理ページ情報の一例を示す図である。
【図１３】図１２における１２０２の物理ページ設定情報の例である。
【図１４】スプールファイルマネージャ３０４からデスプーラ３０５に対して物理ページの印刷要求を行う際に渡すデータ形式の一例を示した図である。
【図１５】設定変更エディタ３０７における設定変更処理について示したフローチャートである。
【図１６】スプールファイルマネージャ３０４でスプールされている印刷ジョブ一覧を表示する画面の一例である。
【図１７】プレビューア３０６の画面の一例である。
【図１８】設定変更エディタ３０７の画面の一例である。
【図１９】本発明におけるスプールファイルマネージャ３０４の処理フローを示すフローチャートである。
【図２０】本発明におけるスプールファイルマネージャ３０４の処理フローを示すフローチャートである。
【図２１】本発明におけるスプールファイルマネージャ３０４の処理フローを示すフローチャートである。
【図２２】本発明におけるスプールファイルマネージャ３０４の処理フローを示すフローチャートである。
【図２３】本発明の実施形態の製本印刷処理の概要を説明した図である。
【図２４】本発明の実施形態の製本印刷処理の概要を説明した図である。
【図２５】本発明の実施形態の製本印刷処理の概要を説明した図である。
【図２６】本発明の実施形態の製本印刷処理の概要を説明した図である。
【図２７】本発明の実施形態の製本印刷処理の概要を説明した図である。
【図２８】本発明の実施形態にかかるドライバのユーザインタフェースを示す図である。
【図２９】本発明の実施形態にかかるドライバのユーザインタフェースを示す図である。
【図３０】通常のプリンタドライバによる製本印刷を説明する図である。
【図１】
0003880307.tif 000002
【図２】
0003880307.tif 000003
【図３】
0003880307.tif 000004
【図４】
0003880307.tif 000005
【図５】
0003880307.tif 000006
【図６】
0003880307.tif 000007
【図７】
0003880307.tif 000008
【図８】
0003880307.tif 000009
【図９】
0003880307.tif 000010
【図１０】
0003880307.tif 000011
【図１１】
0003880307.tif 000012
【図１２】
0003880307.tif 000013
【図１３】
0003880307.tif 000014
【図１４】
0003880307.tif 000015
【図１５】
0003880307.tif 000016
【図１６】
0003880307.tif 000017
【図１７】
0003880307.tif 000018
【図１８】
0003880307.tif 000019
【図１９】
0003880307.tif 000020
【図２０】
0003880307.tif 000021
【図２１】
0003880307.tif 000022
【図２２】
0003880307.tif 000023
【図２３】
0003880307.tif 000024
【図２４】
0003880307.tif 000025
【図２５】
0003880307.tif 000026
【図２６】
0003880307.tif 000027
【図２７】
0003880307.tif 000028
【図２８】
0003880307.tif 000029
【図２９】
0003880307.tif 000030
【図３０】
0003880307.tif 000031